(57)【特許請求の範囲】
【請求項１】
入力データのｎビットが表す２n の情報を２k 個のレベル情報および２m 個のホッピングパターンの組み合わせとして表して周波数ホッピング信号を送信する手段を備えたことを特徴とするスペクトル拡散送信装置。
【請求項２】
前記送信する手段の周波数ホッピングに係る論理処理とは独立の論理処理により、前記送信する手段の送信信号にそのシステム固有に設定されたアドレス情報を付与するアドレス付与手段を備えた請求項１記載のスペクトル拡散送信装置。
【請求項３】
入力データをレベル信号に符号化する手段を含む符号器と、２m 個のホッピングパターンを発生するパターン発生器と、このホッピングパターンの一つを選択するセレクタと、前記符号器のレベル信号出力およびこのセレクタの出力を入力とするｍｏｄ（２k ）加算器と、この加算器の出力に対応する周波数のトーン信号を発生するトーン発生器とを備え、
前記符号器は、入力データのｎビットが表す２n の情報を２k 個のレベル情報および２m 個のホッピングパターンの組み合わせとして表し、前記２k 個の情報をレベル情報として前記加算器の入力に与え、前記２m 個の情報を前記セレクタに選択情報として与える手段を含むことを特徴とするスペクトル拡散送信装置。
【請求項４】
受信信号レベルを検出する検波器と、請求項３記載の送信装置のパターン発生器に対応して２m 個のホッピングパターンを発生するパターン発生器と、前記検波器出力を共通に第一入力としこのパターン発生器出力をそれぞれ第二入力とする２m 個のｍｏｄ（２k ）減算器と、この減算器の出力のうち同一レベルが多数出現するパターンおよびそのレベルを判定出力とする判定回路と、この判定回路が判定出力とする前記２m 個のパターンのうちの一つおよびそのパターンにより復号された２k 個のうちの一つのレベルの組み合わせからｎビットの情報を復元する復号器とを備えたスペクトル拡散受信装置。
【請求項５】
前記２k 個のレベル情報および２m 個のホッピングパターンの選択に係る論理処理とは独立の論理処理により、送信信号に対してそのシステム固有のアドレスを付与するアドレス付与手段を備えた請求項３記載の送信装置。
【請求項６】
請求項５記載のアドレス付与手段に対応するアドレス解読手段を備えた請求項４記載の受信装置。
【請求項７】
前記アドレス付与手段は、前記ｍｏｄ（２k ）加算器出力と前記トーン発生器との間に設けられた請求項５記載の送信装置。
【請求項８】
前記アドレス解読手段は、前記検波器出力と前記２m 個のｍｏｄ（２k ）減算器入力との間に設けられた請求項６記載の受信装置。
【請求項９】
前記アドレス付与手段は、そのシステムに固有のアドレスパターンを発生するアドレスパターン発生器と、前記ｍｏｄ（２k ）加算器出力およびこのアドレスパターン発生器出力を二つの入力とする別のｍｏｄ（２k ）加算器とを含む請求項７記載の送信装置。
【請求項１０】
前記アドレス解読手段は、請求項９記載のアドレスパターン発生器に対応するアドレスパターン発生器と、前記検波器出力およびこのアドレスパターン発生器出力を二つの入力とする別のｍｏｄ（２k ）減算器とを含む請求項８記載の受信装置。
【請求項１１】
前記アドレス付与手段は、そのシステムに固有のアドレスパターンを発生するアドレスパターン発生器と、前記ｍｏｄ（２k ）加算器出力およびこのアドレスパターン発生器出力を二つの入力とするスクランブラとを含む請求項７記載の送信装置。
【請求項１２】
前記アドレス解読手段は、請求項９記載のアドレスパターン発生器に対応するアドレスパターン発生器と、前記検波器出力およびこのアドレスパターン発生器出力を二つの入力とするデスクランブラとを含む請求項８記載の受信装置。
【請求項１３】
前記アドレス付与手段は、前記符号器の前段に設けられた請求項５記載の送信装置。
【請求項１４】
前記アドレス解読手段は、前記復号器の後段に設けられた請求項６記載の受信装置。
【発明の詳細な説明】
【０００１】
【発明の属する技術分野】
本発明は、周波数スペクトル拡散通信に関する。本発明は、周波数ホッピング・パターンを伝送情報により選択するスペクトル拡散通信に関する。本発明は、ＦＨ／MultilevelＦＳＫ（Frequency Hopping by Multilevel Frequency Shift Keying) 方式の改良として有用であるが、これに限らず、本発明の原理は広くあらゆる周波数ホッピング通信に実施することができる。
【０００２】
【従来の技術】
図１２および図１３はＦＨ／MultilevelＦＳＫ方式を説明するためのブロック構成図である。この方式はD.J.Goodman et al Frequency-hopped multilevel FSK for mobile radio" Bell System Technical Journal 59-7 pp1257-1275(Sept.1980) に開示されたものである。図１２はその送信装置の構成図であり、入力データは符号器１でｋビット毎に区切り２k レベルからなる符号語に変換する。アドレスパターン発生器２はそのシステムに固有のホッピングパターンを２k レベルからなるＬチップのアドレス符号として発生する。入力データｋビット長をＴ、アドレスの１チップ長をτとすると、Ｔ＝τＬの関係にある。
【０００３】
符号器１は入力データｋビットの状態に対応して２k レベルの中からひとつを選びこれをＬ回出力する。符号器１の出力とアドレス符号はｍｏｄ（２k ）加算器３で加算され、この加算出力に対応する周波数のトーンがトーン発生器４から発生され、これが変調出力となる。この変調出力は周波数変調器（図外）の変調入力となり、その周波数変調器から周波数ホッピング信号が送出され、これは中間周波数信号である。この中間周波数信号は所定の周波数帯の高周波信号に変換されて空間に送信される。
【０００４】
図１３はこれに対応する受信装置の構成図である。この受信入力は高周波信号を周波数変換した中間周波数信号である。これをスペクトル解析器５で周波数信号からレベル信号に変換される。受信装置には送信装置と等しいアドレスパターンを発生するアドレスパターン発生器６を備え、発生されたアドレス符号はｍｏｄ（２k ）減算器７に供給される。このｍｏｄ（２k ）減算器７は、変換された入力レベルからアドレス符号の減算を実行する。受信入力には他システムの信号が雑音として混入しているが、このｍｏｄ（２k ）減算器７出力では、当該システムの信号は同一レベルに揃うが、雑音は多くのレベルに分散する。判定復号器８では多数決判定によって最も多くの成分が存在するレベルを正しいレベルと判定しデータを復元する。
【０００５】
この様子を図１４および図１５を用いて説明すると、図１５（ａ）は送信符号語であり、横軸は時間、縦軸はレベルを表す。レベルは１から２k まで設定される。同図（ｂ）は送信アドレスパターンである。同じく横軸は時間、縦軸はレベルを表す。このアドレスパターンはレベル１からＬまでにそのシステム固有のパターンとして設定される。同図（ｃ）は送信スペクトルを表し、横軸は同じく時間であるが縦軸は周波数を表す。この図１５（ａ）に示す送信符号語を同図（ｂ）に示すアドレス符号とｍｏｄ（２k ）加算を行い、これを周波数トーンに変換すると、図１５（ｃ）に示すような送信スペクトルとなる。
【０００６】
この送信スペクトルは、受信装置に受信されると図１４（ａ）に示すように信号を表す×印だけでなく雑音を表す○印のレベル情報が各タイミングに受信される。図１４（ａ）は横軸が時間、縦軸は周波数を表す。図１４（ｂ）は受信装置のアドレスパターンである。このアドレスパターンは送信装置のアドレスパターンと等しく設定される。このアドレスパターンを用いてｍｏｄ（２k ）の減算を行うと、同図（ｃ）に示すようなレベル信号が得られる。すなわち、当該システムの信号×印は同一レベルに現れるが、他システムの信号あるいは雑音はｍｏｄ（２k ）減算の結果多数のレベルに分散することになり、多数決判定によりこれを識別して復号することができる。
【０００７】
この従来技術（ＦＨ／MultilevelＦＳＫ方式）については、丸林ほか著「スペクトル拡散通信とその応用」電子情報通信学会発行、1998年５月、第２章、特に37〜49頁に詳しい記載がある。
【０００８】
【発明が解決しようとする課題】
この従来技術は、他システムからの雑音に対して誤り率が低く、周波数利用効率が他の周波数ホッピング通信方式に比べて格段によいことが知られている。この方式は、リアルタイムで動作するディジタル処理装置の高速化および低価格化にともない、将来、電波資源の有効利用および送信電力の低減などを図ることができるものと期待され、セルラ通信方式、ページング方式などに有望な方式と考えられている。
【０００９】
本願発明者は、このＦＨ／MultilevelＦＳＫ方式ではさらに多量の情報伝送が可能であることに気付き、これが本願発明のきっかけとなった。すなわち、従来から周波数ホッピング通信方式では、周波数ホッピングパターンをアドレスパターンに利用するものとして考えられているが、これにとらわれることなく、周波数ホッピングパターンを情報伝送に利用することにより、伝送することができる情報量を二次元的に拡大することができることに着目したものである。
【００１０】
すなわち、本発明は情報伝送量を飛躍的に拡大することができる周波数ホッピング通信方式を提供することを目的とする。本発明は、従来レベルという一次元的な量に対応して情報が伝送されていたが、これを二次元的に拡大することができる周波数ホッピング通信方式を提供することを目的とする。本発明は、従来技術と同数のレベルを設定し、同数の周波数ホッピングパターンを用いるなら、従来技術によるものより、周波数ホッピングパターンの数倍だけ多量の情報を伝送することが可能であり、従来技術と同等の情報伝送を行うなら従来技術より、きわめて少ない数のレベルを設定し、少ない数のホッピングパターンを設定することができる周波数ホッピング通信方式を提供することを目的とする。本発明は、情報伝送の高速化をはかることができる周波数ホッピング通信方式を提供することを目的とする。本発明は、電波の周波数資源の有効利用をはかることを目的とする。本発明は、送信装置の電力消費量低減をはかることを目的とする。
【００１１】
さらに本発明は、周波数ホッピングパターンを情報伝送に利用しても、そのシステム固有のアドレスを送信装置および受信装置の間で識別することができる周波数ホッピング通信方式を提供することを目的とする。
【００１２】
【課題を解決するための手段】
本発明は、周波数ホッピングパターンをシステムのアドレスとして割り当てるのではなく、周波数ホッピングパターンの選択を情報伝送に利用することを特徴とする。
【００１３】
すなわち、本発明のスペクトル拡散送信装置は、入力データのｎビットが表す２n の情報を２k 個のレベル情報および２m 個のホッピングパターンの組み合わせとして表して周波数ホッピング信号を送信する手段を備えたことを特徴とする。ここに、ｎ＝ｋ＋ｍである。
【００１４】
この構成によりホッピングパターンを情報伝送に利用するので、そのシステム固有のシステムを識別するためのアドレスは他の独立な方法により設定しなければならない。すなわち、本発明は、前記送信する手段の周波数ホッピングに係る論理処理とは独立の論理処理により前記送信する手段の送信信号にそのシステム固有に設定されたアドレス情報を付与するアドレス付与手段を備える。
【００１５】
さらに具体的な構成として、本発明の送信装置は、入力データをレベル信号に符号化する手段を含む符号器（１１）と、２m 個のホッピングパターンを発生するパターン発生器（１２）と、このホッピングパターンの一つを選択するセレクタ（１３）と、前記符号器のレベル信号出力およびこのセレクタの出力を入力とするｍｏｄ（２k ）加算器（１４）と、この加算器の出力に対応する周波数のトーン信号を発生するトーン発生器（１５）とを備え、前記符号器（１１）は、入力データのｎビットが表す２n の情報を２k 個のレベル情報および２m 個のホッピングパターンの組み合わせとして表し、前記２k 個の情報をレベル情報として前記加算器（１４）の入力に与え、前記２m 個の情報を前記セレクタ（１３）に選択情報として与える手段を含むことを特徴とする。
【００１６】
この送信装置が送信する本発明の受信装置は、受信信号レベルを検出する検波器（２１）と、前記送信装置のパターン発生器（１２）に対応して２m 個のホッピングパターンを発生するパターン発生器（２３）と、前記検波器出力を共通に第一入力としこのパターン発生器出力をそれぞれ第二入力とする２m 個のｍｏｄ（２k ）減算器（２２）と、この減算器の出力のうち同一レベルが多数出現するパターンおよびレベルを判定出力とする判定回路（２４）と、この判定回路が判定出力とする前記２m 個のパターンのうちの一つおよびそのパターンにより復号された２k 個のうちの一つのレベルの組み合わせからｎビットの情報を復元する復号器（２５）とを備える。
【００１７】
この構成により、従来は「レベル」という一次元の量で考えられていたものを、本発明は図３に示すように、「レベル×パターン」という二次元の量に拡張することができる。すなわち、従来と同一の２k 個のレベルと２L 個のホッピングパターンでは２k 個の情報だけしか伝送することができなかったものが、本発明により（２k ）×（２m ）個の情報が伝送することができるようになる。
【００１８】
これにより、同等のチップ時間（τ）の設定および同等の周波数利用条件のもとで、飛躍的に伝送することができる情報量を拡大することができる。それにしたがい、同一の情報量を伝送するための周波数資源の利用効率は二次元的に拡大し、さらに情報伝送時間が短縮されることから、同一の情報量を伝送するための送信装置の電力消費量は飛躍的に経済化されることになる。
【００１９】
当該システムを識別するために、送信装置では周波数ホッピング動作とは別の論理処理によりアドレスを付与するとともに、受信装置ではそのアドレスを解読しなければならないが、そのための方法はいくつかある。その一つは、アドレス付与手段を前記ｍｏｄ（２k ）加算器出力と前記トーン発生器との間に設けるものである。これは周波数ホッピングに係る論理処理とは関係がない。そして対応するアドレス解読手段は、受信装置の検波器出力と前記２m 個のｍｏｄ（２k ）減算器入力との間に設けることがよい。
【００２０】
そのアドレス付与手段は、そのシステムに固有のアドレスパターンを発生するアドレスパターン発生器（１７）と、前記ｍｏｄ（２k ）加算器出力およびこのアドレスパターン発生器出力を二つの入力とする別のｍｏｄ（２k ）加算器（１８）とを含み、対応するアドレス解読手段は、前記アドレスパターン発生器に対応するアドレスパターン発生器（２６）と、前記検波器出力およびこのアドレスパターン発生器出力を二つの入力とする別のｍｏｄ（２k ）減算器（２７）とを含む構成とすることができる。
【００２１】
またアドレス付与手段の別の構成として、そのシステムに固有のアドレスパターンを発生するアドレスパターン発生器と、前記ｍｏｄ（２k ）加算器出力およびこのアドレスパターン発生器出力を二つの入力とするスクランブラとを含む構成とし、対応するアドレス解読手段は、送信側のアドレスパターン発生器に対応するアドレスパターン発生器と、検波器出力およびこのアドレスパターン発生器出力を二つの入力とするデスクランブラとを含む構成とすることができる。
【００２２】
このようなアドレス付与手段は、送信装置の符号器の前段に設け、対応するアドレス解読手段は、受信装置の復号器の後段に設ける構成とすることもできる。その場合には、上で説明した、そのシステム固有のアドレスパターン発生器と、その出力を一方の入力とするｍｏｄ（２k ）加算器または減算器により実現することができる。また上で説明したスクランブラおよびデスクランブラを用いる構成とすることもできる。
【００２３】
このように、本発明では周波数ホッピングパターンを情報伝送のために利用しても、一つのシステム内で、そのシステムに固有のアドレスを送信装置と受信装置の間で識別することができる。
【００２４】
【発明の実施の形態】
（第一実施例）
図１は本発明実施例送信装置のブロック構成図である。この装置では、入力端子１０に到来する二値信号からなる入力データを符号器１１に与える。この符号器１１はこの入力データをレベル信号に符号化する手段を備える。この送信装置は、周波数ホッピングのために２m 個のホッピングパターンを発生するパターン発生器１２と、このホッピングパターンの一つを選択するセレクタ１３と、前記符号器１１のレベル信号出力およびこのセレクタ１３の出力を入力とするｍｏｄ（２k ）加算器１４と、この加算器１４の出力に対応する周波数のトーン信号を発生するトーン発生器１５とを備える。
【００２５】
ここでこの符号器１１は、入力データのｎビット毎に区切り、このｎビットが表す２n の情報を、２k 個のレベル情報および２m 個のホッピングパターンの組み合わせとして表し、前記２k 個の情報をレベル情報として前記加算器の入力に与え、前記２m 個の情報を前記セレクタに選択情報として与える。このセレクタ１３はこの選択情報にしたがって２m 個のパターン発生器１２のうちのいずれか一つを選択する。すなわち、周波数ホッピングパターンは、従来例のようにこのシステム固有のアドレス符号として利用されるのではなく、ｍビットの情報伝送に利用する。
【００２６】
図２は上記送信装置に対応する本発明実施例受信装置のブロック構成図である。この装置では、受信入力端子２０に到来する中間周波数信号から受信信号レベルを検出する検波器２１を備える。さらに、この受信装置には、上記送信装置のパターン発生器１２に対応して２m 個のホッピングパターンを発生するパターン発生器２３と、検波器２１の出力を共通に第一入力としこのパターン発生器出力をそれぞれ第二入力とする２m 個のｍｏｄ（２k ）減算器２２とを備える。この減算器２２の各出力は判定回路２４に与えられる。判定回路２４では、この減算器２２の出力のうち同一レベルが多数出現するパターンおよびそのレベルを判定する。同一レベルが多数出現するパターンは多数決判定による。そして、復号器２５により、判定回路２４が判定出力とする前記２m 個のパターンのうちの一つおよびそのパターンにより復号された２k 個のうちの一つのレベルの組み合わせから、ｎビットの情報が復元される。
【００２７】
このような構成により、ｎビットの情報は、ｋビットに対応するレベル情報と、ｍビットに対応するパターン選択情報の組み合わせとして伝送することができる。すなわち、従来周波数ホッピングパターンはシステムを識別するアドレスとしてのみ利用するように考えられていたので、情報はレベル情報のみの一次元的なもの（ｋビット分、ｉ）であったが、図３に示すようにレベル情報とパターン選択情報の組み合わせとして二次元的（ｉ，ｊ）に拡大することができる。
【００２８】
この構成により情報伝送量を二次元的に拡大することができるとともに、図１に示す送信装置と図２に示す受信装置との間で通信を行うことができる。しかし、このようなシステムが複数組、同一の周波数帯域を利用して周波数ホッピング通信を行うには、相互にその固有のシステムを識別するためのアドレスが必要になる。
【００２９】
（第二実施例）
図４は、そのシステム固有の識別を行うことができる本発明実施例送信装置のブロック構成図である。この構成は、前記図１で説明した送信装置と比べると、ｍｏｄ（２k ）加算器１４の加算出力を第一入力とする別のｍｏｄ（２k ）加算器１８を設け、この加算器１８の第二にこのシステム固有のアドレスパターンを発生するアドレスパターン発生器１７の出力を供給する。そしてこの別のｍｏｄ（２k ）加算器１８の出力をトーン発生器１５に与えて、周波数変調用のトーンを発生する。
【００３０】
図５はこの図４に示す送信装置に対応する受信装置のブロック構成図である。この受信装置は、図２で説明した受信装置に比べると、中間周波数信号からレベルを検出する検波器２１の出力に、別のｍｏｄ（２k ）減算器２７を設けて、検波器２１の出力をこの第一入力に与え、この減算出力を２m 個のｍｏｄ（２k ）減算器２２の入力に分配するように構成される。そして、別のｍｏｄ（２k ）減算器２７の第二入力には、図４に示す送信装置のアドレスパターンと同じパターン信号を発生するアドレスパターン発生器２６の出力パターン信号が供給される。このように送信側のアドレスパターン発生器１７と、受信側のアドレスパターン発生器２６とを対応させることにより、このアドレスパターンが対応しているシステムの信号のみ意味のある有効な信号として受信することができる。
【００３１】
（第三実施例）
図６は本発明実施例送信装置のブロック構成図である。この例は図４で説明した装置と比べると、トーン発生器１５の入力側で信号をそのシステム固有のパターンによりスクランブルするところに特徴がある。すなわち、トーン発生器１５の入力回路に、スクランブラ１９を挿入し、このスクランブラ１９にアドレスパターン発生器１７からこのシステム固有のアドレスパターンを供給する。
【００３２】
図７は上記図６に示す送信装置に対応する本発明実施例受信装置のブロック構成図である。受信装置では、前記スクランブラに対応するデスクランブラ２８を検波器２１の出力回路に挿入する。このデスクランブラ２８には送信側のアドレスパターンに対応するアドレスパターンを発生するアドレスパターン発生器２６を供給する。
【００３３】
図８はスクランブラ１９の構成を示す図である。すなわち、加算器１４の出力から到来する直列データを直並列変換器３１により並列データに変換し、これをアドレスパターン発生器１７が供給するアドレスパターンにしたがって選択する。図９はこれに対応するデスクランブラ２８の構成を示す図である。検波器２１から入力する直列データを直並列変換器３３により並列データに変換し、これをアドレスパターン発生器２６が発生するアドレスパターンにしたがって選択する。
【００３４】
例えば図１０に示すように時間にしたがって到来した入力直列データは、送信装置のスクランブラ１９を経由することにより、そのシステム固有の順序に入れ換えられ、出力直列データのようになる。これは、対応する受信装置のデスクランブラ２８を経由することにより、はじめの入力直列データと同じ順序に戻るが、アドレスパターンの異なる他システムでは、アドレスパターンを知らないから、あるいはアドレスパターンが異なるから、受信側で送信側の入力直列データの順序に戻すことはできない。
【００３５】
このようにアドレスを付与する手段の操作、および付与されたアドレスにより元のデータを復元する操作は、周波数ホッピング通信方式により送信されるデータおよび受信されたデータに対して行われる処理であり、周波数ホッピングの設定論理とは別の独立の次元の論理により行われる。
【００３６】
このアドレスを付与する操作は、上記例ではいずれも送信装置のトーン発生器１５の直前で行い、付与されたアドレスにより元のデータを復元する操作は、受信装置の検波器２１の直後に行うように説明したが、これらは、送信装置では符号器１１の前に到来する入力データに対してアドレス付与操作を行い、受信装置の復号器２５の出力データに対して復元操作を行うように構成して、本発明を実施することができる。
【００３７】
（伝送できる情報量の例）
図１１は８レベル８チップのフレームを例示する信号出力を示す図である。この図は図２で説明した判定回路２４の２m 個の入力に現れる信号と考えることができる。左からパターン１による減算出力、パターン２による減算出力、・・・・パターンｉによる減算出力、パターン２m による減算出力を表す。この例ではパターンｉによる減算出力にレベルが等しい信号が８チップにわたって現れるから、第ｉ番の減算出力が採用され、その受信レベルはレベル６（下から６番目のレベル）となる。
【００３８】
従来技術では、この８レベル８チップのフレームでは、８レベル＝２3 レベル、すなわち３ビットの情報しか伝送できない。これに対して、本発明では、８チップでは原理的にさらに８ビット分、合計１１ビットの信号が伝送できることになる。つまり２8 ＝２５６倍の情報伝送が可能になる。なお、このパターンには相互に相関のあるものについて、判定回路で誤って識別される場合があることが考えられるから、相関のないパターンをどのように多数設定することができるかは今後の研究を待たなければならない。
【００３９】
【発明の効果】
本発明により、ｎビットの入力情報をｋビットのレベル情報と、ｍビットの周波数パターン選択情報の組み合わせとして情報伝送することにより、従来レベルの数に相当するｋビットだけしか伝送することができなかった情報伝送量をｍ倍に拡大することができる。本発明は、従来技術と同数のレベルを設定し、同数の周波数ホッピングパターンを用いるなら、従来技術によるものより、周波数ホッピングパターンの数倍だけ多量の情報を伝送することが可能であり、従来技術と同等の情報伝送を行うなら従来技術より、きわめて少ない数のレベルを設定し、少ない数のホッピングパターンを設定することができる周波数ホッピング通信方式が得られる。したがって本発明によれば、同一の電波周波数資源を利用して、多量の情報量を伝送することができ、情報伝送の高速化をはかることができる。本発明により、電波の周波数資源の有効利用をはかることができる。本発明では同一情報を送信するための送信時間を短縮することができるから、送信装置の電力消費量低減をはかることができる。
【００４０】
さらに本発明は、周波数ホッピングパターンを情報伝送に利用しても、そのシステム固有のアドレスを送信装置および受信装置の間で識別することができる周波数ホッピング通信方式が得られる。
【図面の簡単な説明】
【図１】本発明実施例送信装置のブロック構成図。
【図２】本発明実施例受信装置のブロック構成図。
【図３】本発明によるｋ個のレベルとｍ個の周波数ホッピングパターンを利用する場合の情報伝送量を説明する図。
【図４】本発明実施例送信装置のブロック構成図。
【図５】本発明実施例受信装置のブロック構成図。
【図６】本発明実施例送信装置のブロック構成図。
【図７】本発明実施例受信装置のブロック構成図。
【図８】本発明実施例送信装置に利用するスクランブラの構成図。
【図９】本発明実施例受信装置に利用するデスクランブラの構成図。
【図１０】スクランブラによる信号配列の変換を示す図。
【図１１】本発明実施例による８レベル８チップの信号パターンの説明図。×印は信号、○印は雑音をそれぞれ表す。
【図１２】従来例送信装置のブロック構成図。
【図１３】従来例受信装置のブロック構成図。
【図１４】従来例送信装置の信号パターン説明図。
【図１５】従来例受信装置の信号パターン説明図。
【符号の説明】
１０  入力端子
１１  符号器
１２  パターン発生器（周波数ホッピングパターン）
１３  セレクタ
１４  ｍｏｄ（２k ）加算器
１５  トーン発生器
１６  変調出力端子
１７  アドレスパターン発生器
１８  ｍｏｄ（２k ）加算器
１９  スクランブラ
２０  受信入力端子
２１  検波器
２２  ｍｏｄ（２k ）減算器
２３  パターン発生器（周波数ホッピングパターン）
２４  判定回路
２５  復号器
２６  アドレスパターン発生器
２７  ｍｏｄ（２k ）減算器
２８  デスクランブラ
３１、３３  直並列変換器
３２、３４  データセレクタ
【図１】
0003764957.tif 000002
【図２】
0003764957.tif 000003
【図３】
0003764957.tif 000004
【図４】
0003764957.tif 000005
【図５】
0003764957.tif 000006
【図６】
0003764957.tif 000007
【図７】
0003764957.tif 000008
【図８】
0003764957.tif 000009
【図９】
0003764957.tif 000010
【図１０】
0003764957.tif 000011
【図１１】
0003764957.tif 000012
【図１２】
0003764957.tif 000013
【図１３】
0003764957.tif 000014
【図１４】
0003764957.tif 000015
【図１５】
0003764957.tif 000016